(57)【要約】【課題】  建物内のエレベータを非常用電源からの電力供給により停電時継続運転する際に、利用者の利便性をなるべく低下させずに、効率よく省電力運転するエレベータ制御装置を提供する。【解決手段】  実施形態によれば、エレベータ制御装置は、エレベータが設置された建物で、非常用電源からの電力によりエレベータが継続運転しているときに、前記エレベータの乗りかごで前記建物内のいずれかの階床を行先階とするかご呼びが登録されると、前記行先階の１つ上階および１つ下階を行先階とするかご呼び操作を所定期間無効にするよう設定する。【選択図】図１
2017114655.tif 000002
【特許請求の範囲】
【請求項１】
エレベータが設置された建物で、非常用電源からの電力によりエレベータが継続運転しているときに、前記エレベータの乗りかごで前記建物内のいずれかの階床を行先階とするかご呼びが登録されると、前記行先階の１つ上階および１つ下階を行先階とするかご呼び操作を所定期間無効にするよう設定するかご呼び操作無効階設定部と、
前記かご呼び操作無効階設定部で設定された情報に基づいて、前記エレベータを運行する運行制御部と
を備えることを特徴とするエレベータ制御装置。
【請求項２】
エレベータが設置された建物で、非常用電源からの電力によりエレベータが継続運転しているときに、前記エレベータの乗りかごの進行方向先の階床の乗場で操作された、前記進行方向と同じ方向を指定する乗場呼びが登録され応答指令が出力されると、当該乗場呼びの操作が行われた階床の１つ上階および１つ下階を行先階とするかご呼び操作を所定期間無効にするよう設定するかご呼び操作無効階設定部と、
前記かご呼び操作無効階設定部で設定された情報に基づいて、前記エレベータを運行する運行制御部と
を備えることを特徴とするエレベータ制御装置。
【請求項３】
前記かご呼び操作無効階設定部は、前記登録された呼びに応答する運転が終了したとき、または、前記かご呼び操作を無効に設定した階床を前記乗りかごが通過したときに、当該かご呼び操作無効の設定を解除する
ことを特徴とする請求項１または２に記載のエレベータ制御装置。
【請求項４】
前記乗りかご内に設置された、階床毎のかご呼び無効表示灯に接続され、
前記かご呼び操作無効階設定部によりかご呼び操作が無効に設定された階床のかご呼び無効表示灯を点灯させる操作無効階情報出力部をさらに有する
ことを特徴とする請求項１〜３いずれか１項に記載のエレベータ制御装置。
【請求項５】
前記かご呼び操作無効階設定部は、非常用電源からの電力によりエレベータが継続運転しており、且つ、消費電力の抑制が要求されているときに、前記かご呼び操作を所定期間無効にするよう設定する処理を実行する
ことを特徴とする請求項１〜４いずれか１項に記載のエレベータ制御装置。
【請求項６】
前記運行制御部は、所定の専用運転対象として操作されたかご呼びは、前記かご呼び操作無効階設定部による設定に関わらず、登録を有効として前記エレベータを運行する
ことを特徴とする請求項１〜５いずれか１項に記載のエレベータ制御装置。
【請求項７】
前記非常用電源の電源供給能力値を取得する電源供給能力値取得部をさらに備え、
前記かご呼び操作無効階設定部は、非常用電源からの電力によりエレベータが継続運転しており、且つ、前記電源供給能力値取得部で取得された前記非常用電源の電源供給能力値が予め設定された閾値を下回ったときに、前記かご呼び操作を所定期間無効にするよう設定する処理を実行する
ことを特徴とする請求項１〜６いずれか１項に記載のエレベータ制御装置。
【請求項８】
前記かご呼び操作無効階設定部は、前記非常用電源からの電力によるエレベータの継続運転中に、新たな乗場呼びが登録され応答指令が出力されたときに、当該乗場呼びの操作階の１つ上階または１つ下階を行先階とするかご呼びが既に登録されており、且つ、当該かご呼びの行先階で、当該新たな乗場呼びと同じ方向を指定して操作された乗場呼びが登録されていない場合は、当該かご呼びの登録をキャンセルさせる
ことを特徴とする請求項１〜７いずれか１項に記載のエレベータ制御装置。
【請求項９】
前記建物内の各階床の乗場にそれぞれ設置された、運行モード表示装置に接続され、
非常用電源からの電力によりエレベータが継続運転しているときに、各階床の前記運行モード表示装置に、省電力運転中であることを示す情報を出力させる
ことを特徴とする請求項１〜８いずれか１項に記載のエレベータ制御装置。
【発明の詳細な説明】
【技術分野】
【０００１】
本発明の実施形態は、エレベータ制御装置に関する。
【背景技術】
【０００２】
従来、エレベータが設置された建物において、停電が発生したときに、蓄電池や自家発電設備等の非常用電源から供給される電力によりエレベータの運転を継続させる場合がある。この場合、蓄電池や自家発電設備により供給可能な電源容量は限られているため、当該建物内で同時に運転を継続させるエレベータの台数を制限して消費電力量を低減させることが一般的である。
【先行技術文献】
【特許文献】
【０００３】
【特許文献１】特開２０１３−１７７２２１号公報
【発明の概要】
【発明が解決しようとする課題】
【０００４】
しかし、停電発生時には、継続運転中のエレベータをなるべく効率よく運転することで、さらに、非常用電源により供給される電力の消費量を削減することが望まれる。
【０００５】
本発明は上記事情に鑑みてなされたものであり、建物内のエレベータを非常用電源からの電力供給により停電時継続運転する際に、利用者の利便性をなるべく低下させずに、効率よく省電力運転するエレベータ制御装置の提供を目的とする。
【課題を解決するための手段】
【０００６】
上記目的を達成するための実施形態によれば、エレベータ制御装置は、エレベータが設置された建物で、非常用電源からの電力によりエレベータが継続運転しているときに、前記エレベータの乗りかごで前記建物内のいずれかの階床を行先階とするかご呼びが登録されると、前記行先階の１つ上階および１つ下階を行先階とするかご呼び操作を所定期間無効にするよう設定する。
【図面の簡単な説明】
【０００７】
【図１】第１実施形態によるエレベータ制御装置を利用したエレベータの構成を示すブロック図。
【図２】第１実施形態によるエレベータ制御装置を利用したエレベータの通常時の動作を示すシーケンス図。
【図３】第１実施形態によるエレベータ制御装置を利用したエレベータの省電力運転時の動作を示すシーケンス図。
【図４】第２実施形態によるエレベータ制御装置を利用したエレベータの構成を示すブロック図。
【図５】第２実施形態によるエレベータ制御装置を利用したエレベータの省電力運転時の動作を示すシーケンス図。
【図６】第３実施形態によるエレベータ制御装置を利用したエレベータの構成を示すブロック図。
【図７】第３実施形態によるエレベータ制御装置を利用したエレベータの省電力運転時の動作を示すシーケンス図。
【図８】第４実施形態によるエレベータ制御装置を利用したエレベータの構成を示すブロック図。
【図９】第４実施形態によるエレベータ制御装置を利用したエレベータの省電力運転時の動作を示すシーケンス図。
【発明を実施するための形態】
【０００８】
《第１実施形態》
本発明の第１実施形態として、建物内に設置された非常用電源からの電力によりエレベータが継続運転しているときに、当該エレベータの乗りかご内での操作によりかご呼びに基づいて、以降の所定期間に関するかご呼び操作可能な階床を制限することで、当該エレベータによる消費電力量を低減させるエレベータ制御装置について説明する。
【０００９】
〈第１実施形態によるエレベータ制御装置を備えたエレベータの構成〉
本実施形態によるエレベータ制御装置を備えたエレベータの構成について、図１を参照して説明する。
【００１０】
本実施形態によるエレベータ１Ａは、建屋設備である商用電源２から供給される電力をエレベータ１Ａに供給する受電盤３と、非常用電源としての蓄電池４とに接続され、建物内の昇降路を走行する乗りかご１０と、乗りかご１０を昇降させる巻上げ機２０と、建物内の１階〜ｎ階の各エレベータ乗場３０−１〜３０−ｎにそれぞれ設置された乗場操作盤３１−１〜３１−ｎと、昇降路の上部に設置されたエレベータ制御装置４０Ａとを備える。
【００１１】
乗りかご１０は、行先階登録ボタン１１１が設けられたかご操作盤１１と、かご内出力装置１２とを有する。乗場操作盤３１−１〜３１−ｎはそれぞれ、乗場呼び登録ボタン３１１−１〜３１１−ｎを有する。
【００１２】
エレベータ制御装置４０Ａは、受電状態監視部４０１と、蓄電池制御部４０２と、乗場操作情報取得部４０３と、乗場呼び登録部４０４と、かご操作情報取得部４０５と、かご呼び登録部４０６と、かご呼び操作無効階設定部４０７Ａと、報知情報出力制御部４０８と、運行制御部４０９とを有する。
【００１３】
受電状態監視部４０１は、商用電源２から受電盤３を介してエレベータ１Ａに電力が供給されているか否かを監視する。蓄電池制御部４０２は、受電状態監視部４０１において商用電源２からの電力が遮断されたことが検知されると、蓄電池４に対し蓄電池起動信号を出力してエレベータ１Ａに電力を供給させる。乗場操作情報取得部４０３は、各乗場操作盤３１−１〜３１−ｎの乗場呼び登録ボタン３１１−１〜３１１−ｎの操作情報を取得する。乗場呼び登録部４０４は、乗場操作情報取得部４０３で取得された操作情報に基づいて、操作階の情報を含む乗場呼びを登録する。かご操作情報取得部４０５は、かご操作盤１１の行先階登録ボタン１１１の操作情報を取得する。かご呼び登録部４０６は、かご操作情報取得部４０５で取得された操作情報に基づいて、所定階を行先階とするかご呼びを登録する。かご呼び操作無効階設定部４０７Ａは、蓄電池４から供給される電力でエレベータ１Ａが運行しているときにかご呼びが登録されると、当該かご呼びに対する応答が終了するまでの間、該当する行先階の１つ上階および１つ下階に対するかご呼び操作を無効にするよう、かご呼び登録部４０６に設定する。報知情報出力制御部４０８は、エレベータ１Ａの運行に関し、乗りかご１０内の利用者に報知するための情報を生成し、かご内出力装置１２から出力させる。運行制御部４０９は、乗場呼び登録部４０４に登録された乗場呼びおよび、かご呼び登録部４０６に登録されたかご呼びに応答するために、乗りかご１０を含む機器を制御することで、エレベータ１Ａを運行する。
【００１４】
〈第１実施形態によるエレベータ制御装置を備えたエレベータの動作〉
本実施形態によるエレベータ１Ａにおいて、商用電源２から受電盤３を介して供給されている電力により通常運転が行われているときの動作について、図２のシーケンス図を参照して説明する。
【００１５】
商用電源２から受電盤３を介してエレベータ１Ａに電力が供給されているときには、エレベータ制御装置４０Ａの受電状態監視部４０１においてこれが検知され（Ｓ１）、受電中信号が生成されて蓄電池制御部４０２に出力される。蓄電池制御部４０２は、受電中信号が受信されたときには、蓄電池４に対して蓄電池起動信号を出力せず、また、かご呼び操作無効階設定部４０７Ａに対しても蓄電池起動中信号を出力しない。
【００１６】
このように商用電源２からの電力が供給されているときに、乗場操作盤３１−１〜３１−ｎいずれかの乗場呼び登録ボタン３１１−１〜３１１−ｎにより乗場呼び操作が行われると（Ｓ２）、操作情報がエレベータ制御装置４０Ａの乗場操作情報取得部４０３で取得され、これに基づいて操作階の情報を含む乗場呼びが乗場呼び登録部４０４に登録される（Ｓ３）。そして、登録された乗場呼びに応答するために、運行制御部４０９により乗りかご１０を含む機器を制御するための動作指令が出力される（Ｓ４）。エレベータ１Ａ内では、出力された動作指令に基づいて巻上げ機２０を含む各機器で動作が実行され、エレベータ１Ａが運行される（Ｓ５）。
【００１７】
また、商用電源２からの電力が供給されているときに、かご操作盤１１の行先階登録ボタン１１１によりかご呼び操作が行われると（Ｓ６）、操作情報がエレベータ制御装置４０Ａのかご操作情報取得部４０５で取得され、これに基づいて所定階を行先階とするかご呼びがかご呼び登録部４０６に登録される（Ｓ７）。ここでは、商用電源２による通常運転中であり、かご呼び操作無効階設定部４０７Ａにおいて蓄電池起動中信号が取得されていないため、かご呼び操作無効階の設定を行わないことが決定される（Ｓ８）。
【００１８】
そして、登録されたかご呼びに応答するために、運行制御部４０９により乗りかご１０を含む機器を制御するための動作指令が出力される（Ｓ９）。エレベータ１Ａ内では、出力された動作指令に基づいて巻上げ機２０を含む各機器で動作が実行され、エレベータ１Ａが通常運行される（Ｓ１０）。
【００１９】
以上のように、エレベータ１Ａが通常運行されているときに当該建物内で停電が発生し、商用電源２からの電力供給が遮断されたときの動作について、図３のシーケンス図を参照して説明する。
【００２０】
商用電源２から受電盤３への電力供給が遮断されると（Ｓ１１）、エレベータ制御装置４０Ａの受電状態監視部４０１において停電中であることが検知され（Ｓ１２）、停電中信号が生成されて蓄電池制御部４０２に出力される。蓄電池制御部４０２は、停電中信号が受信されると、蓄電池４に対して蓄電池起動信号を出力する（Ｓ１３）。蓄電池４は、蓄電池起動信号を取得すると、エレベータ１Ａを継続運転させるために電力供給を開始する（Ｓ１４）。蓄電池４からの電力供給が開始されると、蓄電池制御部４０２においてこれ検知され、かご呼び操作無効階設定部４０７Ａに対して蓄電池４が起動中であることを通知するための蓄電池起動中信号が出力される（Ｓ１５）。
【００２１】
このように蓄電池４からの電力供給が開始されると、エレベータ１Ａが、起動回数を低減させて消費電力を抑制させる省電力運転により継続運転される。エレベータ１Ａが継続運転しているときに、乗場操作盤３１−１〜３１−ｎいずれかの乗場呼び登録ボタン３１１−１〜３１１−ｎにより乗場呼び操作が行われると（Ｓ１６）、操作情報がエレベータ制御装置４０Ａの乗場操作情報取得部４０３で取得され、これに基づいて操作階の情報を含む乗場呼びが乗場呼び登録部４０４に登録される（Ｓ１７）。そして、登録された乗場呼びに応答するために、運行制御部４０９により乗りかご１０を含む機器を制御するための動作指令が出力される（Ｓ１８）。エレベータ１Ａ内では、出力された動作指令に基づいて巻上げ機２０を含む各機器で動作が実行され、エレベータ１Ａが運行される（Ｓ１９）。
【００２２】
また、蓄電池４からの電力が供給されているときに、かご操作盤１１の行先階登録ボタン１１１により、例えば５階を行先階とするかご呼び操作が行われると（Ｓ２０）、操作情報がエレベータ制御装置４０Ａのかご操作情報取得部４０５で取得され、これに基づいて５階を行先階とするかご呼びがかご呼び登録部４０６に登録される（Ｓ２１）。
【００２３】
このとき、エレベータ１Ａは蓄電池４による継続運転中であり、ステップＳ１５において蓄電池起動中信号が取得されていることから、かご呼び操作無効階設定部４０７Ａにより、登録されたかご呼びの行先階の１つ上階である６階および１つ下階である４階が、かご呼び操作無効階としてかご呼び登録部４０６に設定される（Ｓ２２）。
【００２４】
このように４階および６階がかご呼び操作無効階に設定されているときに、かご操作盤１１の行先階登録ボタン１１１により、４階または６階を行先階とするかご呼び操作が行われると（Ｓ２３）、操作情報がエレベータ制御装置４０Ａのかご操作情報取得部４０５で取得される。しかし、４階および６階がかご呼び操作無効階として設定されているため、当該操作によるかご呼びの情報はかご呼び登録部４０６に登録されない（Ｓ２４）。
【００２５】
このとき、報知情報出力制御部４０８により、ステップＳ２３で利用者が操作したかご呼びの情報が登録されない理由を利用者に報知するためのかご内報知情報が生成され（Ｓ２５）、かご内出力装置１２から出力される（Ｓ２６）。このかご内報知情報は例えば、「バッテリー運転中です。１つ上の階に停止予定のため、押された階には停止しません」のような音声情報であり、操作された階がかご呼び操作無効階に設定されていることを利用者に報知するものである。
【００２６】
一方、ステップＳ２１で登録されたかご呼びに応答するために、運行制御部４０９により乗りかご１０を含む機器を制御するための動作指令が出力される（Ｓ２７）。エレベータ１Ａ内では、出力された動作指令に基づいて巻上げ機２０を含む各機器で動作が実行される（Ｓ２８）。
【００２７】
そして、登録された行先階に乗りかご１０が着床して戸開することでかご呼びに対する応答処理が終了すると（Ｓ２９）、該当するかご呼び操作無効の設定が解除される（Ｓ３０）。
【００２８】
以上の第１実施形態では、商用電源から供給される電力でエレベータが運行している間はすべての階に対してかご呼びの登録を可能にするが、停電等により商用電源からの電力が遮断され蓄電池から供給される電力でエレベータが継続運転している間は、登録されたかご呼びの行先階の上下階に対するかご呼び操作を無効にする。これにより、継続運転中はエレベータの起動回数を低減させて省電力化を図ることができ、蓄電池による運行時間を長く保つことができる。このとき、利用者の利便性はある程度低下するが、利用者の操作状況に関わらずに予め固定的に設定された階（奇数階や偶数階など）をかご呼び操作無効階とする場合よりも、利便性の低下を抑えることができる。
【００２９】
《第２実施形態》
第１実施形態においては、蓄電池からの電力でエレベータが運行している際は、登録されたかご呼びの行先階の上下階に対するかご呼び操作を無効にすることで、停止階を間引いて省電力化を図る場合について説明した。本発明の第２実施形態では、蓄電池等の非常用電源からの電力により継続運転しているエレベータで、かご呼び操作可能な階床を制限する設定を行う際に、当該エレベータの乗場で登録された乗場呼びの操作階も考慮して設定処理を行うことで、さらに省電力化を向上させる場合について説明する。
【００３０】
〈第２実施形態によるエレベータ制御装置を備えたエレベータの構成〉
本実施形態によるエレベータ制御装置を備えたエレベータの構成について、図４を参照して説明する。
【００３１】
本実施形態によるエレベータ１Ｂは、エレベータ制御装置４０Ｂが操作無効階情報出力部４１０を有する以外は、第１実施形態で説明したエレベータ制御装置４０Ａの構成と同様であるため、同一機能を有する機能部の詳細な説明は省略する。
【００３２】
本実施形態においてかご呼び操作無効階設定部４０７Ｂは、第１実施形態で説明したかご呼び操作無効階設定部４０７Ａの機能に加えて、蓄電池４から供給される電力でエレベータ１Ｂが運行しているときに乗りかご１０の進行方向先の階床で操作された、当該進行方向と同じ方向を指定する乗場呼びが登録され応答指令が出力されると、該当する操作階の１つ上階および１つ下階に対する以降のかご呼び操作を無効にするよう、かご呼び登録部４０６に設定する機能を有する。
【００３３】
操作無効階情報出力部４１０は、かご呼び操作無効階設定部４０７Ｂでかご呼び操作を無効にした階に関する情報を、乗りかご１０に送信する。
【００３４】
〈第２実施形態によるエレベータ制御装置を備えたエレベータの動作〉
本実施形態によるエレベータ１Ｂにおいて、第１実施形態で説明した場合と同様にエレベータ１Ｂが通常運行されているときに当該建物内で停電が発生し、商用電源２からの電力供給が遮断されたときの動作について、図５のシーケンス図を参照して説明する。
【００３５】
図５において、商用電源２からエレベータ１Ｂへの電力供給が遮断された後、蓄電池４からの電力供給によりエレベータ１Ｂの継続運転が開始されるときに実行されるステップＳ３１〜Ｓ３５の処理は、第１実施形態で説明したステップＳ１１〜Ｓ１５の処理と同様であるため、詳細な説明は省略する。
【００３６】
蓄電池４からの電力供給が開始され、エレベータ１Ｂが省電力運転により継続運転しているときに、乗場操作盤３１−１〜３１−ｎのいずれかの乗場呼び登録ボタン３１１−１〜３１１−ｎにより乗場呼び操作が行われると、操作情報がエレベータ制御装置４０Ｂの乗場操作情報取得部４０３で取得される（Ｓ３６）。ここでは、乗りかご１０が１階で待機している状態で、５階乗場の乗場操作盤３１−５で上方向（ＵＰ）の乗場呼び登録ボタン３１１−５が操作されるとともに、１５階乗場の乗場操作盤３１−１５で下方向（ＤＮ）の乗場呼び登録ボタン３１１−１５が操作されたものとする。この操作に基づいて、５階ＵＰ乗場呼びおよび１５階ＤＮ乗場呼びが、乗場呼び登録部４０４に登録される（Ｓ３７）。
【００３７】
このとき、エレベータ１Ｂは蓄電池４による継続運転中でありかご呼び操作無効階設定部４０７Ｂにおいて蓄電池起動中信号が取得されていることから、乗りかご１０の進行方向先の階床で操作された、当該進行方向と同じ方向を指定する乗場呼びが登録され応答指令が出力されると、該当する操作階の１つ上階および１つ下階が、かご呼び操作無効階としてかご呼び登録部４０６に設定される（Ｓ３８）。
【００３８】
ここでは、登録された５階ＵＰ乗場呼びが、乗りかご１０の進行方向先である５階で操作され、進行方向と同じ上方向を指定する乗場呼びであるため、当該乗場呼びの操作階である５階の１つ上階の６階および１つ下階の４階がかご呼び操作無効階として設定される。この設定により、以降に４階または６階を行先とするかご呼び操作が行われても、当該操作は無効にされてかご呼び登録部４０６に登録されない。また、登録された１５階ＤＮ乗場呼びは、乗りかご１０の進行方向先である１５階で操作されているが、進行方向と異なる下方向を指定する乗場呼びであるため、その上下階はかご呼び操作無効階の設定の対象にはならない。
【００３９】
かご呼び登録部４０６に設定されたかご呼び操作無効階の情報は、操作無効階情報出力部４１０から乗りかご１０のかご操作盤１１に送信され、乗りかご１０内の利用者に報知される（Ｓ３９）。例えば、かご呼びが登録された際に点灯する表示灯や行先階登録ボタンとは別に設けられた階床毎のかご呼び無効表示灯（図示せず）のうち、かご呼び操作無効階に設定された４階および６階の表示灯を点灯させることで報知される。
【００４０】
一方、ステップＳ３７で登録された５階ＵＰ乗場呼びに応答するために、運行制御部４０９により乗りかご１０を含む機器を制御するための動作指令が出力される（Ｓ４０）。エレベータ１Ｂ内では、出力された動作指令に基づいて巻上げ機２０を含む各機器で動作が実行される（Ｓ４１）。
【００４１】
そして、登録された乗場呼びの操作階である５階に乗りかご１０が着床して戸開することで５階ＵＰ乗場呼びに対する応答処理が終了したときに（Ｓ４２）、かご呼び操作無効階として設定された４階および６階と、これらの階に隣接する他の階床である３階および７階とのすべての階床でかご呼びまたは乗場呼びのいずれも登録されていなければ、かご呼び登録部４０６における４階および６階のかご呼び操作無効の設定が解除される（Ｓ４３）。
【００４２】
かご呼び登録部４０６においてかご呼び操作無効の設定が解除された情報は、操作無効階情報出力部４１０から乗りかご１０のかご操作盤１１に送信され、乗りかご１０内の利用者に報知される（Ｓ４４）。例えば、点灯されていた４階および６階のかご呼び無効表示灯を消灯させることで報知される。
【００４３】
次に、かご操作盤１１の行先階登録ボタン１１１により、例えば１７階を行先階とするかご呼び操作が行われると（Ｓ４５）、操作情報がエレベータ制御装置４０Ｂのかご操作情報取得部４０５で取得され、これに基づいて１７階を行先階とするかご呼びがかご呼び登録部４０６に登録される（Ｓ４６）。
【００４４】
このとき、エレベータ１Ｂは蓄電池４による継続運転中であり、かご呼び操作無効階設定部４０７Ｂにおいて蓄電池起動中信号が取得されていることから、登録されたかご呼びの行先階の１つ上階である１８階および１つ下階である１６階が、かご呼び操作無効階としてかご呼び登録部４０６に設定される（Ｓ４７）。
【００４５】
かご呼び登録部４０６に設定されたかご呼び操作無効階の情報は、操作無効階情報出力部４１０から乗りかご１０のかご操作盤１１に送信され、乗りかご１０内の利用者に報知される（Ｓ４８）。例えば、階床毎のかご呼び無効表示灯のうち、かご呼び操作無効階に設定された１８階および１６階の表示灯を点灯させることで報知される。
【００４６】
一方、ステップＳ４６で登録されたかご呼びに応答するために、運行制御部４０９により乗りかご１０を含む機器を制御するための動作指令が出力される（Ｓ４９）。エレベータ１Ｂ内では、出力された動作指令に基づいて巻上げ機２０を含む各機器で動作が実行される（Ｓ５０）。そして、登録されたかご呼びの行先階である１７階に乗りかご１０が着床して戸開することで登録されたかご呼びに対する応答処理が終了すると、当該かご呼びは乗りかご１０の上方向の走行により応答すべき最後の呼びであり、さらに下方向の走行により応答すべき呼び（１５階ＤＮ乗場呼び）が登録されていることから、進行方向が反転して下方向の運転が開始される（Ｓ５１）。
【００４７】
また、かご呼びに対する応答処理が終了したことから、かご呼び操作無効設定部４０７Ｂにより、かご呼び登録部４０６における１８階および１６階のかご呼び操作無効の設定が解除されるとともに、走行を開始した下方向と同じ方向を指定して登録されている乗場呼びである１５階ＤＮ乗場呼びに関し、当該呼びの操作階である１５階の１つ上階の１６階および１つ下階の１４階がかご呼び操作無効階として設定される（Ｓ５２）。そして、報知情報出力制御部４０８により、かご呼び操作無効階が解除された１８階および１６階の表示灯が消灯され、新たにかご呼び操作無効階として設定された１６階および１４階の表示灯が点灯されることで、これらの操作無効階の情報が利用者に報知される（Ｓ５３）。
【００４８】
ここで、１７階で乗りかご１０が戸開したときに乗り込んだ利用者により行先階登録ボタン１１１が操作されて１４階を行先階とするかご呼び操作が行われると（Ｓ５４）、操作情報がかご操作情報取得部４０５で取得されるが、１４階はかご呼び操作無効階として設定されているため、当該操作によるかご呼びの情報はかご呼び登録部４０６に登録されない（Ｓ５５）。このとき、報知情報出力制御部４０８により、ステップＳ５４で利用者が操作したかご呼びの情報が登録されない理由を利用者に報知するためのかご内報知情報が生成され（Ｓ５６）、かご内出力装置１２から出力される（Ｓ５７）。
【００４９】
その後、１５階に乗りかご１０が着床して戸開することで、登録された１５階ＤＮ乗場呼びに対する応答処理が終了すると、該当するかご呼び操作無効の設定が解除される。
【００５０】
以上の第２実施形態によれば、第１実施形態と同様に実行される処理に加え、停電等により蓄電池から供給される電力でエレベータが運行している間は、乗りかごの進行方向先の階床で操作された、当該進行方向と同じ方向を指定する乗場呼びに対しても操作階の上下階に対するかご呼び操作を無効にするため、さらにエレベータの起動回数を低減させて省電力化を図ることができる。
【００５１】
《第３実施形態》
第１および第２実施形態においては、エレベータ１Ａ，１Ｂに供給されている電力が商用電源から受電盤を介して供給されたものであるか、蓄電池から供給されたものであるかを判断して、蓄電池から電力が供給されている場合は、登録されたかご呼びの行先階や乗場呼びの操作階の上下階をかご呼び操作無効となるように設定している。
【００５２】
一方、大規模災害等で商用電源により電力供給が長期に渡り停止または制限される場合には、建物内の非常用電源である自家発電源設備から受電盤を介してエレベータに電力供給するよう切り替える場合がある。このような場合は、自家発電源設備による限られた電力で長期間エレベータを継続運転させる必要があるため、第１、第２実施形態の場合と同様にエレベータの起動回数を低減させて省電力化を図る必要がある。
【００５３】
そこで、本発明の第３実施形態では、自家発電源設備から受電盤を介してエレベータに電力が供給される場合にも、エレベータの起動回数を低減させて省電力化を図るエレベータ制御装置について説明する。
【００５４】
また、第１および第２実施形態で説明したエレベータ１Ａ，１Ｂを車椅子利用者が利用する場合、階段での移動ができないことから、所望の行先階を登録できない乗りかごは利用することができず、再度乗場呼びを登録して所望の行先階を登録可能な乗りかごがくるまで待つ必要がある。
【００５５】
そこで、本発明の第３実施形態では、停電時に省電力化に対応したエレベータ運転をしているときにも、車椅子利用者の不都合とならないように運転するエレベータ制御装置について説明する。
【００５６】
〈第３実施形態によるエレベータ制御装置を備えたエレベータの構成〉
本実施形態によるエレベータ制御装置を備えたエレベータの構成について、図６を参照して説明する。
【００５７】
本実施形態によるエレベータ１Ｃは、エレベータ制御装置４０Ｃに接続された電源状態情報出力装置５および消費電力抑制指示装置６を備えるとともに、乗りかご１０に設置された車椅子利用者専用の専用かご操作盤１３および、１階〜ｎ階の各乗場に設置された車椅子利用者専用の専用乗場操作盤３２−１〜３２−ｎ内の専用乗場呼び登録ボタン３２１−１〜３２１−ｎを備える他は、第２実施形態によるエレベータ１Ｂの構成と同様であるため、同一機能を有する部分の詳細な説明は省略する。
【００５８】
電源状態情報出力装置５は、商用電源から電力が供給されているときには商用電源確立信号をオン状態にし、自家発電源設備から電力が供給されているときには自家発電源確立信号をオン状態にする。
【００５９】
消費電力抑制指示装置６は、大規模災害等の要因により、自家発電源設備からエレベータ１Ｃに電力が供給される状態が長期化すると判断したとき、または、管理者により省電力運転を実行させるためのスイッチがオン操作されたときに、消費電力抑制指示信号を生成し、エレベータ制御装置４０Ｃに送信する。
【００６０】
エレベータ制御装置４０Ｃは、電源識別部４１１および消費電力抑制処理判断部４１２を有する他は、第２実施形態によるエレベータ制御装置４０Ｂの構成と同様であるため、同一機能を有する機能部の詳細な説明は省略する。なお、図６においてはエレベータ制御装置４０Ｂの受電状態監視部４０１および蓄電池制御部４０２を省略しているが、これらの機能部を同様に有していてもよい。
【００６１】
電源識別部４１１は、電源状態情報出力装置５から出力されている信号に基づいて、現在エレベータ１Ｃに供給されている電力の供給元を識別する。識別の方法として例えば、商用電源確立信号と自家発電源確立信号との双方がオン状態である場合には、予め設定されたいずれか一方を供給元とするようにしてもよいし、先にオン状態なった方の信号に基づいて供給元を識別するようにしてもよい。また、商用電源確立信号がオン状態であれば電力供給元が商用電源であるとし、商用電源確立信号がオフ状態であれば電力供給元が自家発電源確立信号であるとすることで、商用電源確立信号のみに基づいて識別してもよい。逆に、自家発電源確立信号がオン状態であれば電力供給元が自家発電源であるとし、自家発電源確立信号がオフ状態であれば電力供給元が商用電源であるとすることで、自家発電源確立信号のみに基づいて識別してもよい。
【００６２】
消費電力抑制処理判断部４１２は、電源識別部４１１において、エレベータ１Ｃへの電力供給元が自家発電源設備として識別され、且つ、消費電力抑制指示装置６から消費電力抑制指示信号が取得されているときに、消費電力抑制処理を実行すると判断する。または、電力供給元が自家発電源設備として識別されたときと、消費電力抑制指示が取得されたときとのいずれか一方の条件を満たしたときに、消費電力抑制処理を実行すると判断するようにしてもよい。
【００６３】
乗場操作情報取得部４０３は、各乗場操作盤３１−１〜３１−ｎの乗場呼び登録ボタン３１１−１〜３１１−ｎの操作情報、および専用乗場呼び登録ボタン３２１−１〜３２１−ｎの操作情報を取得する。かご操作情報取得部４０５は、かご操作盤１１の行先階登録ボタン１１１の操作情報および専用行先階登録ボタン１３１の操作情報を取得する。
【００６４】
かご呼び操作無効階設定部４０７Ｃは、消費電力抑制処理判断部４１２において消費電力抑制処理を実行すると判断されたときには、専用行先階登録ボタンの操作に基づくかご呼びに優先的に応答しつつ、第２実施形態と同様にエレベータの着床階を減らして省電力運転を行う。
【００６５】
〈第３実施形態によるエレベータ制御装置を備えたエレベータの動作〉
本実施形態によるエレベータ１Ｃにおいて、自家発電源設備から受電盤３を介して電力が供給されているときの動作について、図７のシーケンス図を参照して説明する。
【００６６】
建物内の自家発電源設備から受電盤３を介して電力が供給されているとき（Ｓ５８）には、電源状態情報出力装置５から出力される商用電源確立信号がオフ状態になり、自家発電源確立信号がオン状態なる（Ｓ５９）。エレベータ制御装置４０Ｃの電源識別部４１１では、電源状態情報出力装置５から出力される信号に基づいて、自家発電源からの電力が供給されていることが認識される（Ｓ６０）。自家発電源からの電力が供給されていることが認識されると、エレベータ１Ｃ内の機器に対し、自家発管制運転を実行させる指令が出力され（Ｓ６１）、これに従って乗りかご１０が予め設定された避難階に帰着され休止状態になる。ここでは、乗りかご１０の避難階への帰着を行わずに休止状態にしてもよいし、商用電源２から電力が供給されているときと同様に通常運転を行うようにしてもよい（Ｓ６２）。
【００６７】
自家発電源設備から電力が供給されているときに、消費電力抑制指示装置６から消費電力抑制指示信号が送信されると（Ｓ６３）、エレベータ制御装置４０Ｃにより省電力運転が開始される（Ｓ６４）。
【００６８】
省電力運転が開始された後、乗りかご１０が１階で待機している状態で、５階の乗場操作盤３１−５で上方向の専用乗場呼び登録ボタン３２１−５と、１０階の乗場操作盤３１−１０で上方向の専用乗場呼びボタン３２１−１０とにより乗場呼び操作が行われたものとする（Ｓ６５）。この操作に基づいて、５階ＵＰ専用乗場呼びおよび１０階ＵＰ専用乗場呼びが、乗場呼び登録部４０４に登録される（Ｓ６６）。
【００６９】
ここで登録された５階ＵＰ専用乗場呼びおよび１０階ＵＰ専用乗場呼びは、乗りかご１０の進行方向先の階床で操作され、進行方向と同じ上方向を指定する専用乗場呼びであるため、その応答指令が出力されると、当該専用乗場呼びの操作階である５階の１つ上階の６階、１つ下階の４階、および他の専用乗場呼びの操作階である１０階の１つ上階の１１階、１つ下階の９階がかご呼び操作無効階として、かご呼び登録部４０６に設定される（Ｓ６７）。
【００７０】
かご呼び登録部４０６に設定されたかご呼び操作無効階の情報は、操作無効階情報出力部４１０から乗りかご１０のかご操作盤１１に送信され、かご呼び操作無効階に設定された４階、６階、９階、および１１階に関し、かご呼び無効表示灯を点灯させることで利用者に報知される（Ｓ６８）。
【００７１】
一方、ステップＳ６６で登録された５階ＵＰ乗場呼びに応答するために、運行制御部４０９により乗りかご１０を含む機器を制御するための動作指令が出力される（Ｓ６９）。エレベータ１Ｃ内では、出力された動作指令に基づいて巻上げ機２０を含む各機器で動作が実行される（Ｓ７０）。
【００７２】
そして、登録された専用乗場呼びの操作階である５階に乗りかご１０が着床して戸開することで５階ＵＰ専用乗場呼びに対する応答処理が終了したときに（Ｓ７１）、かご呼び操作無効階として設定された４階および６階と、これらの階に隣接する他の階床である３階および７階とのすべての階床でかご呼びまたは乗場呼びのいずれも登録されていなければ、かご呼び登録部４０６における４階および６階のかご呼び操作無効の設定が解除される（Ｓ７２）。
【００７３】
かご呼び登録部４０６においてかご呼び操作無効の設定が解除された情報は、操作無効階情報出力部４１０から乗りかご１０のかご操作盤１１に送信され、乗りかご１０内の利用者に報知される（Ｓ７３）。例えば、点灯されていた４階および６階のかご呼び無効表示灯を消灯させることで報知される。
【００７４】
次に、かご操作盤１１の行先階登録ボタン１１１により、９階を行先階とするかご呼び操作が行われると（Ｓ７４）、操作情報がエレベータ制御装置４０Ｃのかご操作情報取得部４０５で取得されるが、９階はかご呼び操作無効階として設定されているため、当該操作によるかご呼びの情報はかご呼び登録部４０６に登録されない（Ｓ７５）。このとき、報知情報出力制御部４０８により、ステップＳ７４で利用者が操作したかご呼びの情報が登録されない理由を利用者に報知するためのかご内報知情報が生成され（Ｓ７６）、かご内出力装置１２から出力される（Ｓ７７）。
【００７５】
次に、かご操作盤１１の専用行先階登録ボタン１３１により、９階を行先階とする専用かご呼び操作が行われると（Ｓ７８）、操作情報がエレベータ制御装置４０Ｃのかご操作情報取得部４０５で取得され、かご呼び登録部４０６に送出される。かご呼び登録部４０６では、９階がかご呼び操作無効階に設定されていても、専用かご呼び操作に関しては無効とされず、９階を行先階とする専用かご呼びがかご呼び登録部４０６に登録される（Ｓ７９）。
【００７６】
かご呼び登録部４０６に９階を行先階とする専用かご呼びが登録されると、かご呼び操作無効階設定部４０７Ｃにより、登録されたかご呼びに関するかご呼び操作無効階がかご呼び登録部４０６に設定される。このとき、行先階である９階の１つ上階１０階および１つ下階８階がかご呼び操作無効階として設定される対象になるが、１つ上階の１０階に関してはステップＳ６６において１０階ＵＰ専用乗場呼びが登録されており、既に１０階に停止することが決定していることから、１つ下階の８階のみがかご呼び操作無効階としてかご呼び登録部４０６に設定される（Ｓ８０）。
【００７７】
かご呼び登録部４０６に設定されたかご呼び操作無効階の情報は、操作無効階情報出力部４１０から乗りかご１０のかご操作盤１１に送信され、かご呼び操作無効階に設定された８階に関し、かご呼び無効表示灯を点灯させることで利用者に報知される（Ｓ８１）。
【００７８】
一方、ステップＳ７９で登録された専用かご呼びに応答するために、運行制御部４０９により乗りかご１０を含む機器を制御するための動作指令が出力される（Ｓ８２）。エレベータ１Ｃ内では、出力された動作指令に基づいて巻上げ機２０を含む各機器で動作が実行される（Ｓ８３）。以降も、登録された呼びに基づいてエレベータ１Ｃの運行が行われる。
【００７９】
以上の第３実施形態では、商用電源からの電力が供給されている間、または自家発電源からの電力が供給されている場合であっても電力抑制要求がない間はすべての呼び登録操作を可能にして通常運転を行う。一方で、自家発電源からの電力が供給されており、且つ、電力抑制が要求されている場合には、エレベータの起動回数を低減させるように制御しつつ、専用かご操作盤で操作された専用かご呼び操作に関しては常に登録可能とすることで、車椅子利用者の利便性を損なうことなく、省電力化を図ることができる。
【００８０】
《第４実施形態》
第１および第２実施形態においては、蓄電池を動力電源としてエレベータを動作させている間は、常にかご呼びの登録制限をかける場合について説明したが、近年は蓄電池の電力によるエレベータの継続運転可能時間が延びていることから、蓄電池からの電力供給が開始されてすぐにかご呼びの登録制限をかける必要性は必ずしもない場合がある。
【００８１】
そこで、本発明の第４実施形態では、蓄電池の残容量が所定値よりも下回った際にかご呼びの登録制限をかけるようにすることで、利用者の利便性をなるべく高く保ちつつ、必要に応じて省電力化を図った運転を行うエレベータ制御装置について説明する。
【００８２】
〈第４実施形態によるエレベータ制御装置を備えたエレベータの構成〉
本実施形態によるエレベータ制御装置を備えたエレベータの構成について、図８を参照して説明する。
【００８３】
本実施形態によるエレベータ１Ｄは、１階〜ｎ階の各乗場に設置された運行モード表示装置３３−１〜３３−ｎを備える他は、第２実施形態によるエレベータ１Ｂの構成と同様であるため、同一機能を有する部分の詳細な説明は省略する。運行モード表示装置３３−１〜３３−ｎは、かご呼び操作無効階に関する情報等、省電力運転の実施状態を示す情報を表示する。
【００８４】
エレベータ制御装置４０Ｄは、蓄電池残量情報取得部４１３と、省電力制御判断部４１４と、かご呼びキャンセル処理部４１５と、かご呼び自動登録部４１６とを有する他は、第２実施形態によるエレベータ制御装置４０Ｂの構成と同様であるため、同一機能を有する機能部の詳細な説明は省略する。
【００８５】
蓄電池残量情報取得部４１３は、非常用電源である蓄電池４の電源供給能力値としての残容量情報を取得する。省電力制御判断部４１４は、蓄電池４が起動中であり、且つ蓄電池４の残容量が予め設定された閾値を下回ったときに、エレベータ１Ｄを省電力運転に切り替える。かご呼びキャンセル処理部４１５は、新たな乗場呼びが登録されたときに、当該乗場呼びの操作階の上下階のいずれかを行先階とするかご呼びが既に登録されており、且つ、当該かご呼びの行先階で、当該新たな乗場呼びと同じ方向を指定して操作された乗場呼びが登録されていない場合には、当該かご呼びの登録をキャンセルする。またかご呼びキャンセル処理部４１５は、キャンセルしたかご呼び登録の情報を、該当する行先階を乗りかごが通過するまので間、記憶する。かご呼び自動登録部４１６は、かご呼びキャンセル処理部４１５によりかご呼びがキャンセルされたときに、当該キャンセル処理の基となった新たな乗場呼びの操作階と同じ階を行先階とする新たなかご呼びを登録する。またかご呼び自動登録部４１６は、かご呼びキャンセル処理部４１５によりかご呼びがキャンセルされた後に、キャンセル対象となったかご呼びの行先階を操作階とする乗場呼びが登録されたときには、キャンセルされたかご呼びを再登録する。
【００８６】
〈第４実施形態によるエレベータ制御装置を備えたエレベータの動作〉
本実施形態によるエレベータ１Ｄにおいて、第１実施形態で説明した場合と同様にエレベータ１Ｄが通常運行されているときに当該建物内で停電が発生し、商用電源２からの電力供給が遮断されたときの動作について、図９のシーケンス図を参照して説明する。
【００８７】
図９において、商用電源２からエレベータ１Ｄへの電力供給が遮断された後、蓄電池４からの電力供給によりエレベータ１Ｄの継続運転が開始されるときに実行されるステップＳ８４〜Ｓ８８の処理は、第１実施形態で説明したステップＳ１１〜Ｓ１５の処理と同様であるため、詳細な説明は省略する。
【００８８】
蓄電池４からの電力供給によりエレベータ１Ｄの継続運転が開始すると、蓄電池４からエレベータ制御装置４０Ｄに対して蓄電池４の残容量情報を所定時間間隔で送信する処理が開始される（Ｓ８９）。エレベータ制御装置４０Ｄでは、蓄電池４から送信された残容量情報が蓄電池残量情報取得部４１３取得される（Ｓ９０）。
【００８９】
次に、蓄電池４の残容量が低下し、予め設定された閾値を下回ったことが蓄電池残量情報取得部４１３で検知されると（Ｓ９１）、検知結果が省電力制御判断部４１４に出力される。省電力制御判断部４１４では、蓄電池４が起動中であり、且つ蓄電池４の残容量が予め設定された閾値を下回ったことから、エレベータ１Ｄに対し省電力運転が開始される（Ｓ９２）。省電力運転が開始されると、各乗場３０−１〜３０−ｎの運行モード表示装置３３−１〜３３−ｎに、省電力運転中であることを示す情報が表示される（Ｓ９３）。省電力運転によるかご呼びの登録制限については、第１および第２実施形態で説明した処理と同様であるため、詳細な説明は省略する。
【００９０】
省電力運転が開始された後、４階ＵＰ乗場呼び、６階ＤＮ乗場呼び、４階を行先階とする４階かご呼び、および６階を行先階とする６階かご呼びが既に登録されており、これらに基づいて３階、５階、および７階がかご呼び操作無効階としてかご呼び登録部４０６に設定されている状態で、乗りかご１０が２階付近を上方向に走行しているときに、さらに５階の乗場操作盤３１−５で上方向の乗場呼び登録ボタン３１１−５により乗場呼び操作が行われたものとする（Ｓ９４）。この操作に基づいて、５階ＵＰ乗場呼びが乗場呼び登録部４０４に登録される（Ｓ９５）。
【００９１】
このとき、登録された乗場呼びの応答指令が出力されると、新たに登録された乗場呼びの操作階の上下階のいずれかを行先階とするかご呼びが既に登録されており、且つ、当該かご呼びの行先階で、当該新たな乗場呼びと同じ進行方向に対して操作された乗場呼びが登録されていない場合には、当該かご呼びの登録がキャンセルされる（Ｓ９６）。ここでは、新たに登録された５階ＵＰ乗場呼びの上階である６階を行先階とする６階かご呼びが既に登録されており、且つ、当該かご呼びの行先階である６階で、５階ＵＰ乗場呼びと同じ進行方向である上方向に対して操作された乗場呼びが登録されていないため、当該６階かご呼びがかご呼び登録部４０６からキャンセルされる。５階ＵＰ乗場呼びの下階である４階については、４階を行先階とする４階かご呼びは登録されているが、４階において操作された４階ＵＰ乗場呼びが登録されているため、当該４階かご呼びはキャンセルされない。
【００９２】
キャンセル処理された６階かご呼びの情報は、乗りかご１０が６階を通過するまでの間、キャンセル履歴としてかご呼びキャンセル処理部４１５に記憶される（Ｓ９７）。
【００９３】
かご呼びキャンセル処理部４１５により６階かご呼びがキャンセルされると、当該キャンセル処理の基となった５階ＵＰ乗場呼びの操作階である５階を行先階とする新たなかご呼び（５階かご呼び）が、かご呼び自動登録部４１６により登録される（Ｓ９８）。このとき、報知情報出力制御部４０８により、かご呼びの登録階が６階から５階に変更されることを乗りかご１０内の利用者に報知するためのかご内報知情報が生成され（Ｓ９９）、かご内出力装置１２から出力される（Ｓ１００）。
【００９４】
ここで、新たに登録された５階ＵＰ乗場呼びと、キャンセルされた６階かご呼びと、さらに登録された５階かご呼びとに基づいて、新たに６階がかご呼び操作無効階として設定され、７階のかご呼び操作無効階の設定が解除される（Ｓ１０１）。
【００９５】
かご呼び登録部４０６に設定されたかご呼び操作無効階の情報は、操作無効階情報出力部４１０から乗りかご１０のかご操作盤１１に送信され、既にかご呼び操作無効階に設定されている階に加え、新たに設定された６階のかご呼び無効表示灯を点灯させ、設定が解除された７階のかご呼び無効表示灯を消灯させることで利用者に報知される（Ｓ１０２）。
【００９６】
一方、登録された５階ＵＰ乗場呼びに応答するために、運行制御部４０９により乗りかご１０を含む機器を制御するための動作指令が出力される（Ｓ１０３）。エレベータ１Ｄ内では、出力された動作指令に基づいて巻上げ機２０を含む各機器で動作が実行される（Ｓ１０４）。
【００９７】
次に、ステップＳ９７においてキャンセル処理されたかご呼びの行先階である６階で、乗りかご１０が当該６階を通過するまでの間に上方向の乗場呼び登録ボタン３１１−６により乗場呼び操作が行われたものとする（Ｓ１０５）。この操作に基づいて、６階ＵＰ乗場呼びが乗場呼び登録部４０４に登録される（Ｓ１０６）。
【００９８】
このとき、登録された乗場呼びの応答指令が出力されると、新たに登録された６階ＵＰ乗場呼びの操作階の下階である５階を行先階とする５階かご呼びが登録されているが、当該５階で、６階ＵＰ乗場呼びと同じ上方向に対して操作された５階ＵＰ乗場呼びが既に登録されているため、５階かご呼びはキャンセルされないことが決定される。かご呼びがキャンセルされなかったことから、当該６階ＵＰ乗場呼びに基づく新たなキャンセル履歴は記憶されず、当該６階ＵＰ乗場呼びに基づく新たなかご呼びの自動登録も行われない。
【００９９】
また、当該６階ＵＰ乗場呼びが登録されたときに、ステップＳ９７の処理によりかご呼びキャンセル処理部４１５に６階かご呼びのキャンセル履歴が記憶されていることから、６階を行先階とする利用者が乗りかご１０に乗っていることがかご呼び自動登録部４１６で認識され、かご呼び登録部４０６に６階かご呼びが再登録される（Ｓ１０７）。このとき、報知情報出力制御部４０８により、６階に停止することを乗りかご１０内の利用者に報知するためのかご内報知情報、例えば「６階の乗場呼びに応答するため６階にも停止します」が生成され（Ｓ１０８）、かご内出力装置１２から出力される（Ｓ１０９）。
【０１００】
ここで、６階かご呼びが再登録されたことにより、かご呼び操作無効階設定部４０７Ｄにより、６階のかご呼び操作無効階の設定が解除される（Ｓ１１０）。設定が解除されたかご呼び操作無効階（６階）の情報は、操作無効階情報出力部４１０から乗りかご１０のかご操作盤１１に送信され、６階のかご呼び無効表示灯を消灯させることで利用者に報知される（Ｓ１１１）。
【０１０１】
そして、登録された呼びに順次応答するために、運行制御部４０９により乗りかご１０を含む機器を制御するための動作指令が出力される（Ｓ１１２）。エレベータ１Ｄ内では、出力された動作指令に基づいて巻上げ機２０を含む各機器で動作が実行される（Ｓ１１３）。
【０１０２】
以上の第４実施形態によれば、蓄電池の残容量が所定値よりも下回ったときにのみ、かご呼びの登録制限をかけるようにすることで、利用者の利便性をなるべく保ちつつ、必要に応じて省電力化を図ることができる。また、かご呼びの登録制限をかけて省電力運転を行っているときにこれを乗場の利用者に報知することで、利便性の低下による利用者の不満を低減されることができる。さらに、登録されたかご呼びの行先階と、新たに登録された乗場呼びの操作階とが１階床差である場合には、当該かご呼びの行先階を、新たに登録された乗場呼びの操作階に変更することで、利用者の利便性をなるべく低下させずに省電力化を図ることができる。
【０１０３】
上述した第１〜第４実施形態においては、かご呼び操作無効階を設定した後、当該設定の基になった呼びへの応答が終了したときに設定が解除される場合について説明したが、設定されたかご呼び操作無効階を乗りかごが通過したときに、設定を解除するようにしてもよい。
【０１０４】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１０５】
１Ａ，１Ｂ，１Ｃ，１Ｄ…エレベータ、２…商用電源、３…受電盤、４…蓄電池、５…電源状態情報出力装置、６…消費電力抑制指示装置、１１…かご操作盤、１２…かご内出力装置、１３…専用かご操作盤、２０…巻上げ機、３０−１〜３−ｎ…乗場、３１−１〜３１−ｎ…乗場操作盤、３２−１〜３２−ｎ…専用乗場操作盤、３３−１〜３３−ｎ…運行モード表示装置、４０Ａ，４０Ｂ，４０Ｃ，４０Ｄ…エレベータ制御装置、１１１…行先階登録ボタン、１３１…専用行先階登録ボタン、３１１−１〜３１１−ｎ…乗場呼び登録ボタン、３２１−１〜３２１−ｎ…専用乗場呼び登録ボタン、４０１…受電状態監視部
４０２…蓄電池制御部、４０３…乗場操作情報取得部、４０４…乗場呼び登録部、４０５…かご操作情報取得部、４０６…かご呼び登録部、４０７Ａ，４０７Ｂ，４０７Ｃ，４０７Ｄ…かご呼び操作無効階設定部、４０８…報知情報出力制御部、４０９…運行制御部、４１０…操作無効階情報出力部、４１１…電源識別部、４１２…消費電力抑制処理判断部、４１３…蓄電池残量情報取得部、４１４…省電力制御判断部、４１５…かご呼びキャンセル処理部、４１６…かご呼び自動登録部
【図１】
2017114655.tif 000003
【図２】
2017114655.tif 000004
【図３】
2017114655.tif 000005
【図４】
2017114655.tif 000006
【図５】
2017114655.tif 000007
【図６】
2017114655.tif 000008
【図７】
2017114655.tif 000009
【図８】
2017114655.tif 000010
【図９】
2017114655.tif 000011
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
エレベータが設置された建物で、非常用電源からの電力によりエレベータが継続運転しているときに、前記エレベータの乗りかごで前記建物内のいずれかの階床を行先階とするかご呼びが登録されると、前記行先階の１つ上階および１つ下階を行先階とするかご呼び操作を所定期間無効にするよう設定し、新たな乗場呼びが登録され応答指令が出力されたときに、当該乗場呼びの操作階の１つ上階または１つ下階を行先階とするかご呼びが既に登録されており、且つ、当該かご呼びの行先階で、当該新たな乗場呼びと同じ方向を指定して操作された乗場呼びが登録されていない場合は、当該かご呼びの登録をキャンセルさせるかご呼び操作無効階設定部と、
前記かご呼び操作無効階設定部で設定された情報に基づいて、前記エレベータを運行する運行制御部と
を備えることを特徴とするエレベータ制御装置。
【請求項２】
エレベータが設置された建物で、非常用電源からの電力によりエレベータが継続運転しているときに、前記エレベータの乗りかごの進行方向先の階床の乗場で操作された、前記進行方向と同じ方向を指定する乗場呼びが登録され応答指令が出力されると、当該乗場呼びの操作が行われた階床の１つ上階および１つ下階を行先階とするかご呼び操作を所定期間無効にするよう設定し、新たな乗場呼びが登録され応答指令が出力されたときに、当該乗場呼びの操作階の１つ上階または１つ下階を行先階とするかご呼びが既に登録されており、且つ、当該かご呼びの行先階で、当該新たな乗場呼びと同じ方向を指定して操作された乗場呼びが登録されていない場合は、当該かご呼びの登録をキャンセルさせるかご呼び操作無効階設定部と、
前記かご呼び操作無効階設定部で設定された情報に基づいて、前記エレベータを運行する運行制御部と
を備えることを特徴とするエレベータ制御装置。
【請求項３】
前記かご呼び操作無効階設定部は、前記登録された呼びに応答する運転が終了したとき、または、前記かご呼び操作を無効に設定した階床を前記乗りかごが通過したときに、当該かご呼び操作無効の設定を解除する
ことを特徴とする請求項１または２に記載のエレベータ制御装置。
【請求項４】
前記乗りかご内に設置された、階床毎のかご呼び無効表示灯に接続され、
前記かご呼び操作無効階設定部によりかご呼び操作が無効に設定された階床のかご呼び無効表示灯を点灯させる操作無効階情報出力部をさらに有する
ことを特徴とする請求項１〜３いずれか１項に記載のエレベータ制御装置。
【請求項５】
前記かご呼び操作無効階設定部は、非常用電源からの電力によりエレベータが継続運転しており、且つ、消費電力の抑制が要求されているときに、前記かご呼び操作を所定期間無効にするよう設定する処理を実行する
ことを特徴とする請求項１〜４いずれか１項に記載のエレベータ制御装置。
【請求項６】
前記運行制御部は、所定の専用運転対象として操作されたかご呼びは、前記かご呼び操作無効階設定部による設定に関わらず、登録を有効として前記エレベータを運行する
ことを特徴とする請求項１〜５いずれか１項に記載のエレベータ制御装置。
【請求項７】
前記非常用電源の電源供給能力値を取得する電源供給能力値取得部をさらに備え、
前記かご呼び操作無効階設定部は、非常用電源からの電力によりエレベータが継続運転しており、且つ、前記電源供給能力値取得部で取得された前記非常用電源の電源供給能力値が予め設定された閾値を下回ったときに、前記かご呼び操作を所定期間無効にするよう設定する処理を実行する
ことを特徴とする請求項１〜６いずれか１項に記載のエレベータ制御装置。
【請求項８】
前記建物内の各階床の乗場にそれぞれ設置された、運行モード表示装置に接続され、
非常用電源からの電力によりエレベータが継続運転しているときに、各階床の前記運行モード表示装置に、省電力運転中であることを示す情報を出力させる
ことを特徴とする請求項１〜７いずれか１項に記載のエレベータ制御装置。
【手続補正２】
【補正対象書類名】明細書
【補正対象項目名】０００６
【補正方法】変更
【補正の内容】
【０００６】
上記目的を達成するための実施形態によれば、エレベータ制御装置は、エレベータが設置された建物で、非常用電源からの電力によりエレベータが継続運転しているときに、前記エレベータの乗りかごで前記建物内のいずれかの階床を行先階とするかご呼びが登録されると、前記行先階の１つ上階および１つ下階を行先階とするかご呼び操作を所定期間無効にするよう設定し、新たな乗場呼びが登録され応答指令が出力されたときに、当該乗場呼びの操作階の１つ上階または１つ下階を行先階とするかご呼びが既に登録されており、且つ、当該かご呼びの行先階で、当該新たな乗場呼びと同じ方向を指定して操作された乗場呼びが登録されていない場合は、当該かご呼びの登録をキャンセルさせる。